Podtech/llm-jp-corpus-v4-ja_patent huggingface dataset:
【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
ケイ素含有ガス、第１窒素含有ガス、第２窒素含有ガス及び水素ガスを含むガス混合物を処理チャンバ内に送出する工程と、
処理チャンバ内に配置された基板の上方に約８００ミル〜約１８００ミル離間したガス分配プレートアセンブリに、約０．３５０ワット／ｃｍ２〜約０．９０３ワット／ｃｍ２を印加することによって、処理チャンバ内でガス混合物を励起させる工程と、
処理チャンバ内で励起したガス混合物を約０．５トール〜約３．０トールの圧力に維持する工程と、
励起したガス混合物の存在下で基板上に無機封止膜を堆積させる工程と、
有機封止膜上に無機誘電体層を堆積させる工程を含む封止膜の形成方法。
【請求項２】
ガス混合物を送出する工程は、
基板面積１ｍ２当たり約１５５０〜約３１１５ｓｃｃｍの流量でケイ素含有ガスを送出する工程と、
基板面積１ｍ２当たり約２３６０〜約６１４０ｓｃｃｍの流量で第１窒素含有ガスを送出する工程と、
基板面積１ｍ２当たり約９３０５〜約１５４５５ｓｃｃｍの流量で第２窒素含有ガスを送出する工程を含む請求項１記載の方法。
【請求項３】
無機封止膜を堆積させる工程は、無機封止膜上に有機誘電体層を堆積させる工程を含む請求項１記載の方法。
【請求項４】
ケイ素含有ガス、第１窒素含有ガス、第２窒素含有ガス及び水素ガスを含むガス混合物を処理チャンバ内に送出する工程と、
処理チャンバ内に配置された基板の上方に約８００ミル〜約１８００ミル離間したガス分配プレートアセンブリに、約０．３５０ワット／ｃｍ２〜約０．９０３ワット／ｃｍ２を印加することによって、処理チャンバ内でガス混合物を励起させる工程と、
処理チャンバ内で励起したガス混合物を約０．５トール〜約３．０トールの圧力に維持する工程と、
励起したガス混合物の存在下で基板上に無機封止膜を堆積させる工程を含み、ガス混合物を送出する工程は、
基板面積１ｍ２当たり約１５５０〜約３１１５ｓｃｃｍの流量でケイ素含有ガスを送出する工程と、
基板面積１ｍ２当たり約２３６０〜約６１４０ｓｃｃｍの流量で第１窒素含有ガスを送出する工程と、
基板面積１ｍ２当たり約９３０５〜約１５４５５ｓｃｃｍの流量で第２窒素含有ガスを送出する工程を含む封止膜の形成方法。
【請求項５】
無機封止膜上に有機誘電体層を堆積させる工程を含む請求項４記載の方法。
【請求項６】
ケイ素含有ガス、第１窒素含有ガス、第２窒素含有ガス及び水素ガスを含むガス混合物を処理チャンバ内に送出する工程と、
処理チャンバ内に配置された基板の上方に約８００ミル〜約１８００ミル離間したガス分配プレートアセンブリに、約０．３５０ワット／ｃｍ２〜約０．９０３ワット／ｃｍ２を印加することによって、処理チャンバ内でガス混合物を励起させる工程と、
処理チャンバ内で励起したガス混合物を約０．５トール〜約３．０トールの圧力に維持する工程と、
励起したガス混合物の存在下で基板上に無機封止膜を堆積させる工程と、
無機封止膜上に有機誘電体層を堆積させる工程を含む封止膜の形成方法。
【請求項７】
ガス混合物を送出する工程は、
基板面積１ｍ２当たり約２３６３０〜約４３３２５ｓｃｃｍの流量で水素ガスを送出する工程を含む請求項２、４、又は５のいずれか１項記載の方法。
【請求項８】
無機封止膜は、波長４００ｎｍで約８０％を超える透明性を有する請求項７記載の方法。
【請求項９】
第２窒素含有ガスは、Ｎ２である請求項２、４、又は５のいずれか１項記載の方法。
【請求項１０】
有機誘電体層上に第２無機封止膜を堆積させる工程を含む請求項３、５、又は６のいずれか１項記載の方法。
【請求項１１】
無機封止膜及び第２無機封止膜は、約０．８ダイン／ｃｍ２の応力を有する請求項１０記載の方法。
【請求項１２】
第２無機封止膜を堆積させる工程は、
基板の上方に約８００ミル〜約１８００ミル離間させたガス分配プレートアセンブリに、約０．３５０ワット／ｃｍ２〜約０．９０３ワット／ｃｍ２を印加することによって、ケイ素含有ガス、第１窒素含有ガス、第２窒素含有ガス及び水素ガスを含む第２ガス混合物を励起させる工程と、
励起した第２ガス混合物を約０．５トール〜約３．０トールの圧力に維持する工程と、
励起した第２ガス混合物の存在下で基板上に無機封止膜を堆積させる工程を含む請求項１０記載の方法。
【請求項１３】
第２無機封止膜を堆積させる工程は、第１無機封止膜上に第２無機封止膜の一部を堆積させる工程を含む請求項１２記載の方法。
【請求項１４】
第２ガス混合物を送出する工程は、
基板面積１ｍ２当たり約１５５０〜約３１１５ｓｃｃｍの流量でケイ素含有ガスを送出する工程と、
基板面積１ｍ２当たり約２３６０〜約６１４０ｓｃｃｍの流量で第１窒素含有ガスを送出する工程と、
基板面積１ｍ２当たり約９３０５〜約１５４５５ｓｃｃｍの流量で第２窒素含有ガスを送出する工程を含む請求項１２記載の方法。
【請求項１５】
無機封止膜を堆積させる工程は、ＳｉＮｘを含む請求項１〜６のいずれか１項記載の方法。
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
乗り物の使用者に対する可能な提供者を決定するための方法であって、
少なくとも１つが乗り物の使用者嗜好データを含む複数の第三者データ記憶ユニットと通信することと、
遠隔地から、使用者のための使用者カレンダー入力を含む前記使用者嗜好データを検索することと、
該使用者嗜好データの記憶を容易化することと、
前記使用者カレンダー入力がアクセサリーを使用するイベントを含むかどうかを決定することと、
前記アクセサリーの位置を決定することと、
現在の経路の方向を決定することと、
推定される現在の目的地を予想するために、前記使用者嗜好データ、前記使用者カレンダー入力、前記アクセサリーの前記位置、及び、前記現在の経路を使用することと、
乗り物のコンピューティング装置によって、前記推定される現在の目的地に関するデータを使用者に対して提供することと、
を含む方法。
【請求項２】
前記推定される現在の目的地への別の経路が可能かどうかを決定するために、前記複数の第三者データ記憶ユニットからのデータを使用することと、
前記推定される現在の目的地への前記別の経路を提供することと、
を更に含む請求項１に記載の方法。
【請求項３】
前記推定される現在の目的地に関するデータが、
前記推定される現在の目的地の識別と、
前記推定される現在の目的地に到達するための経路データと、
の少なくとも１つを含む請求項１に記載の方法。
【請求項４】
前記使用者嗜好データが、好適な経路上の銘柄を更に含み、
当該方法が、
前記好適な経路上の銘柄が好適な燃料補給所の銘柄を含むことを決定することと、
現在の燃料レベル、現在の乗り物の位置及び前記推定される現在の目的地から、前記乗り物に燃料補給するための可能な位置を予測することと、
前記複数の第三者データ記憶ユニットから、燃料補給所であって、前記好適な燃料補給所の銘柄を含み且つ前記乗り物に燃料補給するための前記可能な位置の所定の距離の範囲内にある燃料補給所を決定することと、
前記燃料補給所に関する通知を使用者に提供することと、
を更に含む請求項１に記載の方法。
【請求項５】
前記好適な経路上の銘柄が好適なレストランの銘柄を含むことを決定することと、
現在の時刻、現在の位置及び前記推定される現在の目的地から、推奨する可能な位置を予測することと、
前記複数の第三者データ記憶ユニットから前記好適なレストランの銘柄を含み且つ推奨する前記可能な位置の所定の距離の範囲内にあるレストランを決定することと、
前記レストランに関する通知を使用者に提供することと、
を更に含む請求項１に記載の方法。
【請求項６】
可能な提供者を決定するためのシステムであって、
論理を記憶するメモリ部品を具備し、
前記論理が、コンピューティング装置によって実行されるときに、該コンピューティング装置に、
燃料補給のための所定の閾値の使用者の識別の受信と、
乗り物の現在の経路の決定と、
該現在の経路及び遠隔装置から受信された使用者カレンダー入力に基づいた、乗り物の目的地の決定と、
現在の時刻における前記乗り物の燃料レベルの決定と、
前記現在の時刻における前記目的地及び前記燃料レベルからの、前記燃料レベルが所定の閾値を下回るおおよその位置の決定と、
使用者のための好適な燃料補給所の銘柄の決定と、
前記好適な燃料補給所の銘柄であり且つ前記おおよその位置から所定の距離の範囲内にある燃料補給所の決定と、
前記使用者に対する前記燃料補給所及び前記燃料補給所への前記乗り物の経路決定をするための選択肢の提供と、
前記燃料補給所への乗り物の経路データの提供と、
を少なくとも実行させるシステム。
【請求項７】
前記燃料補給所の決定が、
前記乗り物が前記おおよその位置に至る、推定される時間の決定と、
前記燃料補給所が前記推定される時間に営業しているかどうかの決定と、
を更に含む請求項６に記載のシステム。
【請求項８】
前記論理が、更に当該システムに、
天候データ、交通データ及び道路状況データの少なくとも１つを含む第三者データへのアクセスと、
該第三者データに基づく前記おおよその位置の変更と、
を少なくとも実行させる請求項６に記載のシステム。
【請求項９】
前記論理が、更に当該システムに、
現在の乗り物の位置が新しい燃料補給所近傍にあることの決定と、
前記新しい燃料補給所を前記好適な燃料補給所の銘柄として追加するためのユーザ選択肢の提供と、
を少なくとも実行させる請求項６に記載のシステム。
【請求項１０】
乗り物の使用者に対する可能な提供者を決定するための乗り物であって、
論理を記憶する乗り物のコンピューティング装置を具備し、
前記論理は、前記乗り物のコンピューティング装置によって実行されるとき、前記乗り物のコンピューティング装置に、
特定の食事の形式の複数の食事の、将来目的とする食事の時間の受信と、
当該乗り物の現在の経路の決定と、
該現在の経路に基づく当該乗り物の目的地の決定と、
当該乗り物の前記目的地への連続する経路の決定と、
前記目的地への当該乗り物のおおよその速度の決定と、
前記目的とする食事の時間における当該乗り物のおおよその位置の予測と、
以前の当該乗り物の停止からの、前記使用者のための好適なレストランの銘柄の決定と、
該好適なレストランの銘柄であり且つ当該乗り物が、前記おおよその速度から決定されるような当該乗り物からの距離であって、前記目的とする食事の時間の所定の時間内にレストランに到着するような当該乗り物からの距離における、前記経路に沿った前記レストランの決定と、
前記使用者に対する前記レストラン及び前記レストランへの当該乗り物の経路決定のための選択肢の提供と、
前記レストランへの当該乗り物の経路の提供と、
を少なくとも実行させる、乗り物。
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
文書または物品の可聴認証用の可聴情報を担持する文書または物品であって、
前記可聴情報が前記文書または物品の中または上にスペクトログラムの形で存在し、前記スペクトログラムが文書セキュリティ手段を使用して具体化され、前記スペクトログラムが周波数対時間関数であることを特徴とする、文書または物品。
【請求項２】
前記スペクトログラムが、
透かしとして、または、
レーザマーキングパターンまたはレーザパンチ微小穿孔パターンとして、または、
印刷インクの形で、または、
磁化パターンの形で、または、
磁性顔料配向パターンの形で、
具体化される、請求項１に記載の文書または物品。
【請求項３】
前記インクが、ＵＶ吸収、可視吸収、ＩＲ吸収、ＵＶルミネセンス発光、可視ルミネセンス発光、ＩＲルミネセンス発光、強磁性、フェリ磁性、誘電体誘電率、導電率変動、およびＲＦ吸収変動からなる群、から適切に選択された特定の検出可能な物理的性質を提供するセキュリティインクである、請求項２に記載の文書または物品。
【請求項４】
前記文書または物品が、紙、厚紙、Ｔｙｖｅｋ（登録商標）といった不織布基板と、織物といった織布基板と、金属箔と、プラスチックポリマー基板とでなる群から選択される、請求項１〜３のいずれか一項に記載の文書または物品。
【請求項５】
前記文書が、紙幣、有価文書、身分証明書、アクセス文書、およびこれらの文書の構成部分からなる群から選択される、請求項１〜４のいずれか一項に記載の文書または物品。
【請求項６】
請求項１〜５のいずれか一項に記載の文書または物品、を製造する方法であって、
前記文書または物品が、前記文書または物品の可聴認証用の可聴情報を担持し、
前記方法は、
周波数対時間関数であるスペクトログラムであって前記文書または物品の中または上に可聴情報を表す当該スペクトログラムを、文書セキュリティ手段を使用して具体化すること、
を含む方法。
【請求項７】
前記スペクトログラムが、インクジェット印刷、レーザ印刷、レーザマーキング、レーザ穿孔といった可変情報印刷工程を使用して文書または物品に直接転写される、請求項６に記載の方法。
【請求項８】
前記スペクトログラムが、フォトリソグラフィー技術または同等の画像転写技術を使用して、印刷版上、印刷スクリーン内、または透かしを入れる型内に転写される、請求項６に記載の方法。
【請求項９】
請求項１〜５のいずれか一項に記載の文書または物品、を認証するためのリーダデバイスであって、
前記文書または物品が、可聴情報を前記文書または物品の可聴認証用のスペクトログラムの形で担持し、それによって前記スペクトログラムが文書セキュリティ手段を使用して具体化され、
前記リーダデバイスが、
前記文書セキュリティ手段に敏感である検知手段であって、前記文書または物品から前記スペクトログラムのデジタル表現を得ることができる検知手段と、
前記スペクトログラムの前記デジタル表現を保存することができる記憶手段と、
前記スペクトログラムの保存された表現を振幅対時間表現に変換することができる処理手段と、
前記振幅対時間表現を可聴音声信号として表示することができる表示手段と、
を備える、リーダデバイス。
【請求項１０】
前記リーダデバイスがハンドヘルドスキャナである、請求項９に記載のリーダデバイス。
【請求項１１】
前記リーダデバイスが、
前記文書または物品を特定の第１の光波長範囲で照明するための照明系と、
前記文書または物品を特定の第２の光波長範囲で読み取ることができる光学的検知手段と、
を備える、請求項９または１０に記載のリーダデバイス。
【請求項１２】
波長固有の吸収または透光性走査を可能にするため、前記第１の光波長範囲および前記第２の光波長範囲は同じである、請求項１１に記載のリーダデバイス。
【請求項１３】
請求項１〜５のいずれか一項に記載の前記文書または物品、の可聴認証用の可聴情報を担持する文書または物品を認証する方法であって、
ａ）可聴認証情報を周波数対時間関数であるスペクトログラムの形で担持する文書または物品を提供するステップと、
ｂ）請求項９〜１２のいずれか一項に記載のリーダデバイスに前記文書または物品をさらして、前記可聴認証情報を音声信号として表示するステップと、
を含む方法。
【請求項１４】
文書または物品の中または上に具体化される、前記文書または物品の識別または認証用の周波数対時間関数であるスペクトログラムの使用。
【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
少なくとも一方の面の７０％〜９０％が保護用ニスによって覆われ、且つ、１０％〜３０％が１つ又は複数のニスのないへこみを有する、１つ又は複数のニスのない領域を含み、該パーセント値がセキュリティ文書の一方の面の全表面に基づいている、セキュリティ文書であって、
前記ニスのないとは、前記保護用ニスが、前記保護用ニスで覆われた表面と比較して３０％未満の量で存在することを意味し、該パーセント値が前記保護用ニスの層の平均の厚さと比較した層の厚さに相当する値であり、
前記へこみが前記セキュリティ文書の凹部である、セキュリティ文書。
【請求項２】
１つ又は複数の前記ニスのない領域が、１つ又は複数の前記ニスのないへこみと、０％〜５０％の１つ又は複数のニスのない機能性区域とを含み、
前記パーセント値が１つ又は複数のニスのない領域の全表面に基づいている、請求項１に記載のセキュリティ文書。
【請求項３】
前記保護用ニスが、ＵＶ、可視光又はＩＲ吸収材料、発光材料、フォレンジックマーカー、タガント、及びそれらの組み合わせからなる群から選択される、１種又は複数種のセキュリティ機能物質を含む、請求項１又は２に記載のセキュリティ文書。
【請求項４】
前記保護用ニスがセキュリティ文書の両面に存在する、請求項１〜３のいずれか一項に記載のセキュリティ文書。
【請求項５】
１つ又は複数の前記ニスのないへこみが、基材の少なくとも１つの端部又は角部に存在する、請求項１〜４のいずれか一項に記載のセキュリティ文書。
【請求項６】
１つ又は複数の前記ニスのないへこみが証印を規定する、請求項１〜５のいずれか一項に記載のセキュリティ文書。
【請求項７】
１つ又は複数の前記ニスのないへこみが、線又は彩紋の形状を有する、請求項１〜６のいずれか一項に記載のセキュリティ文書。
【請求項８】
１つ又は複数の前記ニスのないへこみが、１００〜１０００ミクロンの間の線幅を有する、請求項１〜７のいずれか一項に記載のセキュリティ文書。
【請求項９】
前記保護用ニスが、抗菌剤、殺ウイルス剤、殺生剤、殺菌剤及びそれらの組み合わせからなる群から選択される１種又は複数種の添加剤を含む、請求項１〜８のいずれか一項に記載のセキュリティ文書。
【請求項１０】
保護用ニスをセキュリティ文書に塗布する方法であって、
オフセット、グラビア及びフレキソ印刷からなる群から選択される方法によって、前記セキュリティ文書の一方の面の全表面の７０％〜９０％が前記保護用ニスによって覆われるように、前記保護用ニスを前記セキュリティ文書の少なくとも一方の面に塗布するステップを含み、
前記セキュリティ文書の一方の面の全表面が、１つ又は複数のニスのない領域を１０％〜３０％含み、
１つ又は複数の前記ニスのない領域が、１つ又は複数のニスのないへこみを含み、
前記ニスのない領域において、前記保護用ニスが、前記保護用ニスで覆われた表面と比較して３０％未満の量で存在し、該パーセント値が前記保護用ニスの層の平均の厚さと比較した層の厚さに相当する値であり、
前記へこみが前記セキュリティ文書の凹部である、方法。
【請求項１１】
前記セキュリティ文書を着色インクに接触させることにより、セキュリティ文書が盗難後に出回ることを防止するための、請求項１〜９のいずれか一項に記載のセキュリティ文書の使用。
【請求項１２】
前記セキュリティ文書の着色インク吸収能を向上させるための、請求項１〜９のいずれか一項に記載のセキュリティ文書の少なくとも一方の面の、１つ又は複数のニスのないへこみを含む１つ又は複数のニスのない領域の使用であって、
前記ニスのないとは、セキュリティ文書の少なくとも一方の面に１０％〜３０％の量で存在することを意味し、パーセント値が前記セキュリティ文書の一方の面の全表面に基づいている、ニスのない領域の使用。
【請求項１３】
前記着色インクが、ナノ粒子を含む、請求項１１又は１２に記載の使用。
【請求項１４】
請求項１〜９のいずれか一項に記載のセキュリティ文書を認証する方法であって、
前記セキュリティ文書の少なくとも一方の面の全表面のうち、７０％〜９０％が保護用ニスによって覆われ、且つ、１０％〜３０％が１つ又は複数の前記ニスのない領域を含み、
前記セキュリティ文書を着色インクに接触させるステップと、
前記セキュリティ文書の表面に着色インクの存在を確認するステップと、を含む、方法。
【請求項１５】
少なくとも１つの請求項１〜９のいずれか一項に記載のセキュリティ文書と、着色インクと、を有する保管ユニットを含み、
前記着色インクが、前記保管ユニットを不法に開けようとする企てが為されたときに前記セキュリティ文書に接触させるための着色インクである、システム。
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
患者の皮膚部位から体液を採取するための持ち運び可能な携帯型の医療診断装置において用いられるランセットハウジングアセンブリ用の、複数のランセットを備えるランセットシートであって、該ランセットシートは、
前記ランセットシートを形成する材料から形成された除去可能な突き出し部と、
前記ランセットシートを形成する材料から形成された複数のランセット構造と、
前記ランセットシートを形成する材料から形成された複数のバネ要素とを備え、
前記複数のランセット構造は、皮膚貫入端と、前記皮膚貫入端に隣接する血液輸送部とを備え、前記皮膚貫入端は所定量の血液を供給するために前記皮膚部位で患者の皮膚に貫入するような形状および大きさにされ、
前記複数のバネ要素は、前記複数のランセット構造を前記除去可能な突き出し部に取り外し可能に接続することを特徴とするランセットシート。
【請求項２】
前記複数のバネ要素が、
前記複数のランセット構造のうちの１つのランセット構造に接続される取付バネアームと、
前記取付バネアームを前記除去可能な突き出し部に接続する突き出し部取付アームと
を備える請求項１記載のランセットシート。
【請求項３】
前記取付バネアームがランセット取付アームによって前記ランセット構造に接続され、前記ランセット取付アームが前記取付バネアームの第１の端部で接続され、前記取付バネアームが、反対側の第２の端部で前記突き出し部取付アームに接続される請求項２記載のランセットシート。
【請求項４】
前記ランセット取付アームが、破断可能なフィンガによって前記ランセット構造に接続される請求項３記載のランセットシート。
【請求項５】
前記破断可能なフィンガが脆弱ラインを備える請求項４記載のランセットシート。
【請求項６】
患者の皮膚部位から体液を採取するための持ち運び可能な携帯型の医療診断装置において用いられる複数のランセット構造を備えるランセットハウジングアセンブリを形成するためのランセットハウジングプリアセンブリであって、該ランセットハウジングプリアセンブリが、
上側のディスク部材と、
前記上側のディスク部材との間で、複数のランセット構造を収容するための複数のランセット区画を形成するために、前記上側のディスク部材と接続する下側のディスク部材と、
請求項１記載のランセットシートと
を備えるランセットハウジングプリアセンブリ。
【請求項７】
複数のバネ要素が
前記複数のランセット構造のうちの１つのランセット構造と接続される取付バネアームと、
前記取付バネアームを前記除去可能な突き出し部に接続する突き出し部取付アームと
を備える請求項６記載のランセットハウジングプリアセンブリ。
【請求項８】
前記取付バネアームがランセット取付アームによって前記ランセット構造に接続され、
前記ランセット取付アームが前記取付バネアームの第１の端部で接続され、前記取付バネアームが反対側の第２の端部で前記突き出し部取付アームに接続される
請求項７記載のランセットハウジングプリアセンブリ。
【請求項９】
前記ランセット取付アームが破断可能なフィンガによって前記ランセット構造に接続される請求項８記載のランセットハウジングプリアセンブリ。
【請求項１０】
前記破断可能なフィンガが脆弱ラインを備える請求項９記載のランセットハウジングプリアセンブリ。
【請求項１１】
患者の皮膚部位から体液を採取するための持ち運び可能な携帯型の医療診断装置において用いられる複数のランセットを含むランセットハウジングアセンブリを組み立てる方法であって、
ランセット構造を取り外すための、除去可能な突き出し部を有するランセットシートに複数のランセット構造を形成すること、および
前記ランセット構造を前記除去可能な突き出し部から取り外すために前記ランセットシートの除去可能な突き出し部を曲げることを含む方法。
【請求項１２】
前記ランセット構造を前記除去可能な突き出し部に接続する複数のバネ要素を、前記ランセットシートに形成することをさらに含む、請求項１１記載の方法。
【請求項１３】
前記バネ要素が、前記ランセット構造に接続される取付バネアームと、前記取付バネアームを前記除去可能な突き出し部に接続する外側突き出し部取付アームとを含むように形成される請求項１２記載の方法。
【請求項１４】
前記バネ要素が、前記取付バネアームを前記ランセット構造に接続するランセット取付アームを含むように形成される請求項１３記載の方法。
【請求項１５】
前記除去可能な突き出し部を曲げるステップが、破断可能なフィンガを前記ランセット構造から破断させるように、前記ランセット取付アームが、前記ランセット構造に接続される破断可能なフィンガを備えるように前記バネ要素が形成される請求項１４記載の方法。
【請求項１６】
前記破断可能なフィンガが第１の破断可能なフィンガであり、前記ランセット構造が第１のランセット構造であり、前記ランセット取付アームが隣接する第２のランセット構造に接続される第２の破断可能なフィンガを含むように形成され、前記除去可能な突き出し部を曲げるステップが、前記第１の破断可能なフィンガを前記第１のランセット構造から破断させ、前記第２の破断可能なフィンガを前記第２のランセット構造から破断させる請求項１５記載の方法。
【請求項１７】
前記除去可能な突き出し部が除去可能な外側突き出し部であり、前記ランセットシートが、前記ランセット構造を取り外すために除去可能な内側突き出し部をさらに備える請求項１１記載の方法。
【請求項１８】
前記ランセット構造を前記除去可能な内側突き出し部から取り外すために、前記ランセットシートの前記除去可能な内側突き出し部を曲げることをさらに含む請求項１７記載の方法。
【請求項１９】
前記除去可能な外側突き出し部が前記ランセット構造から取り外された後に、前記ランセット構造が前記除去可能な内側突き出し部に接続され続けるように、前記除去可能な内側突き出し部を曲げるステップの前に、前記除去可能な外側突き出し部を曲げるステップが行われる請求項１８記載の方法。
【請求項２０】
前記除去可能な内側突き出し部から前記ランセット構造を取り外すために前記除去可能な内側突き出し部を曲げるステップの前に、前記ランセット構造を前記ランセットハウジングアセンブリの複数のランセット区画内に配置することをさらに含む請求項１９記載の方法。
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
レーザ式車両用前照灯（２）が、少なくとも１つのレーザ光源（３）と、前記レーザ光源（３）が照射でき、したがって励起されて可視光を放射できる少なくとも１つの発光素子（４）とを備え、発光素子（４）が前記導光素子（１）内に配置され、前記導光素子（１）が光入射面（５）と光出射面（６）とを備え、前記光入射面（５）の入射断面積が前記光出射面（６）の出射断面積よりも広く、前記光入射面（５）と前記光出射面（６）を接続する内面（７）を介して、前記光入射面（５）を通って放射される光を前記光出射面（６）の方向に集束させることができ、前記光出射面（６）が、光が透過しない境界画定要素（１５）によって少なくとも部分的に覆われており、前記境界画定要素（１５）が前記導光（１）に設けられることを特徴とする、レーザ式車両用前照灯（２）向けの導光素子（１）を備えるレーザ式車両用前照灯。
【請求項２】
前記導光素子（１）の受光角（３００）が、前記導光素子（１）の光軸（１００）に対して０°〜４５°の間であることを特徴とする、請求項１に記載の導光素子（１）を備えるレーザ式車両用前照灯。
【請求項３】
前記導光素子（１）の前記内面（７）が、実質的に放物面または自由曲面として形成されることを特徴とする、請求項１または２に記載の導光素子（１）を備えるレーザ式車両用前照灯。
【請求項４】
前記導光素子（１）の外面には、前記光入射面（５）と前記光出射面（６）の間の領域において、光が透過せずかつ／または反射する被覆（８）が、少なくとも各領域に、ただしとりわけ完全に設けられることを特徴とする、請求項１〜３のうちいずれか一項に記載の導光素子（１）を備えるレーザ式車両用前照灯。 
【請求項５】
前記発光素子（４）用の少なくとも１つのレセプタクルが前記光出射面（６）の領域に設けられ、前記レセプタクルが、特にブラインド・ボア（９）、または前記導光素子（１）によって完全に囲繞された空洞（１０）として形成されることを特徴とする、請求項１〜４のうちいずれか一項に記載の導光素子（１）を備えるレーザ式車両用前照灯。
【請求項６】
少なくとも１つの反射器要素（１１）が、前記導光素子（１）の周りに延在し、前記光入射面（５）と前記光出射面（６）の間、好ましくは前記光出射面（６）の前記領域に設けられて、前記発光素子（４）から放射される光を、前記光入射面（５）から離れる方向に偏向させることを特徴とする、請求項１〜５のうちいずれか一項に記載の導光素子（１）を備えるレーザ式車両用前照灯。
【請求項７】
前記レーザ光源（３）は、前記レーザ光源（３）の光が前記車両用前照灯（２）の主放射方向（２００）」に対して放射されるように、前記車両用前照灯（２）の前記主放射方向（２００）で見て、前記発光素子（４）の前方に配置されることを特徴とする、請求項１〜６のうちいずれか一項に記載のレーザ式車両用前照灯。
【請求項８】
少なくとも１つの遮蔽物要素（２１）が設けられ、これにより、前記導光素子（１）の光入射面（５）によって反射される光、または前記車両用前照灯（２）の前記主放射方向（２００）での前記導光素子（１）の内部からの光を遮蔽することができることを特徴とする、請求項１〜７のうちいずれか一項に記載のレーザ式車両用前照灯（２）。
【請求項９】
前記遮蔽物要素（２１）が、前記レーザ光源（３）と前記導光素子（１）の間に延在する接続部品として形成され、特に管状または半管状に形成されることを特徴とする、請求項１〜８のうちいずれか一項に記載のレーザ式車両用前照灯（２）。
【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
乗り物の使用者と通信するための方法であって、
使用者の嗜好と、乗り物にある乗り物のコンピューティング装置によって認証され且つ特定の使用者を識別する携帯電話装置と第三者情報とに関する認証情報と、を取得することと、
前記特定の使用者によって実行される乗り物アクセス装置を認識することと、
前記乗り物アクセス装置の認識に応じて、前記乗り物へのアクセスを提供することと、
前記携帯電話装置を持って近づいたときに前記特定の使用者を認識することと、
前記特定の使用者のために、前記乗り物の機能面の設定及び前記乗り物の非機能面の設定を含む前記使用者の嗜好を実施することであって、前記非機能面の前記設定が、前記乗り物に対して遠隔に記憶された使用者カレンダーの使用者カレンダーイベントと通信する使用者カレンダー統合を含み、前記使用者カレンダーにおける来るべきイベントがアクセサリーと関連することを決定することを含む、前記使用者の嗜好を実施することと、
前記乗り物のコンピューティング装置によって、記憶された使用者の嗜好及び第三者情報に基づき、前記特定の使用者とのカスタマイズされた相互通信を提供することと、
を含む方法。
【請求項２】
前記乗り物のコンピューティング装置によって認証され且つ第２の使用者を識別する第２の携帯電話装置を持って近づいたときに前記第２の使用者を認識することと、
前記特定の使用者のために前記使用者の嗜好を実施することと、
前記特定の使用者及び前記第２の使用者のいずれが前記乗り物の運転者であるかを決定することと、を更に含み、
前記特定の使用者が前記運転者であるとの決定に応じて、前記使用者の嗜好が実施され、且つ、
前記第２の使用者が前記運転者であるとの決定に応じて、前記第２の使用者の、使用者の嗜好を実施する請求項１に記載の方法。
【請求項３】
前記乗り物の前記機能面が、シート位置設定、言語設定、ユニット設定、アバター設定、ミラー位置設定、ハンドル設定、ラジオ設定、暖気、換気、空調（ＨＶＡＣ）システム設定、及び、以前の目的地の設定の少なくとも１つを含む請求項１に記載の方法。
【請求項４】
前記乗り物の前記非機能面が、画像設定、プレイリスト設定、好きな音楽の設定、スケジュール設定、アクション項目設定、ニュース設定、及び、経路上の地点の設定の少なくとも１つを含む請求項１に記載の方法。
【請求項５】
乗り物アクセス装置から前記乗り物へのアクセスの要求を受信すること、を更に含み、前記乗り物へのアクセスの前記要求の受信及び前記特定の使用者の認識に応じて、前記使用者の嗜好が実施される請求項１に記載の方法。
【請求項６】
前記乗り物がレンタルした乗り物であり、且つ、前記使用者の嗜好が遠隔コンピューティング装置から取得される請求項１に記載の方法。
【請求項７】
前記使用者の嗜好が、前記乗り物のコンピューティング装置、前記携帯電話装置、及び、遠隔コンピューティング装置の少なくとも１つにおいて記憶される請求項１に記載の方法。
【請求項８】
乗り物の使用者と通信するための乗り物であって、乗り物のコンピューティング装置が、論理を記憶するメモリ部品を具備し、
前記論理は、前記乗り物のコンピューティング装置によって実行されるとき、前記乗り物のコンピューティング装置に、
乗り物特有の乗り物アクセス装置から当該乗り物にアクセスするための信号の受信と、
前記乗り物アクセス装置とは異なる第１の使用者通信装置からの、特定の使用者を識別する第１の識別信号の受信と、
前記第１の識別信号からの前記特定の使用者の識別と、
前記特定の使用者のための使用者の嗜好データが遠隔に記憶されているかどうかの決定と、
当該乗り物の機能面及び当該乗り物の非機能面の調整のため、前記使用者の嗜好データが遠隔に記憶されているとの決定に応じて、前記使用者の嗜好データの検索、前記使用者の嗜好データが乗り物の性能と一致するかどうかの決定、及び、前記乗り物の性能と一致する前記使用者の嗜好データの適用と、
を少なくとも実行させる乗り物。
【請求項９】
前記論理が、更に前記乗り物のコンピューティング装置に、
前記乗り物アクセス装置及び前記第１の使用者通信装置とは異なる第２の使用者通信装置からの第２の識別信号であって、第１の識別信号が第２の使用者を識別する第２の識別信号の受信と、
いずれの使用者が当該乗り物の運転者であるかの決定と、
を少なくとも実行させ、
前記特定の使用者が前記運転者であるとの決定に応じて、前記使用者の嗜好データが実施され、且つ、前記第２の使用者が前記運転者であるとの決定に応じて、前記第２の使用者の、使用者の嗜好が実施される請求項８に記載の乗り物。
【請求項１０】
乗り物の使用者と通信するためのシステムであって、論理を記憶するメモリ部品を具備し、
前記論理が、当該システムによって実行されるとき、当該システムに、
第１の複写使用者識別子を含むデータであって、レンタルした乗り物のためのレンタル契約書に関するデータの受信と、
前記レンタル契約書による前記レンタルした乗り物の識別の受信と、
前記レンタルした乗り物からの前記第１の複写使用者識別子の要求の受信と、
前記レンタルした乗り物に対する前記第１の複写使用者識別子の提供と、
特定の使用者によって実行される使用者通信装置から、前記レンタルした乗り物によって最初に受信される、前記レンタルした乗り物からの第２の複写使用者識別子の受信と、
前記第２の複写使用者識別子に対する前記第１の複写使用者識別子の比較によって前記レンタルした乗り物も前記第２の複写使用者識別子を認証する、前記第２の複写使用者識別子の認証と、
前記特定の使用者のための使用者の嗜好データの決定と、
前記レンタルした乗り物の機能面の設定及び前記レンタルした乗り物の非機能面の設定を決定するための、乗り物の性能データに対する前記使用者の嗜好データの比較と、
前記第２の複写使用者識別子の認証に応じた前記レンタルした乗り物に対する前記設定の送信と、
を少なくとも実行させるシステム。
【手続補正書】
【提出日】平成27年8月19日(2015.8.19)
【手続補正１】
【補正対象書類名】明細書
【補正対象項目名】００５１
【補正方法】変更
【補正の内容】
【００５１】
当然、非カチオン性化合物が、ミトコンドリア基質中に標的化し、蓄積するように機能してもよい。例として、Ｓｚｅｔｏ−Ｓｈｉｌｌｅｒペプチドは、ミトコンドリア基質中にナノ粒子を標的化し蓄積するように機能することができる。任意の適切なＳｚｅｔｔｏ−Ｓｈｉｌｌｅｒペプチドを、ミトコンドリア基質標的化部分として使用することができる。適切なＳｚｅｔｏ−Ｓｈｉｌｌｅｒペプチドの非限定例として、下記に記載する式Ｖおよび式ＶＩをそれぞれ有するＳＳ−０２（中でも、Ａｒｇ−Ｐｈｅ−Ｌｙｓ（配列番号１））およびＳＳ−３１（Ａｒｇ−２，６−ジメチル  Ｔｈｒ−Ｌｙｓ−Ｐｈｅ（配列番号２））が挙げられる。
【手続補正２】
【補正対象書類名】明細書
【補正対象項目名】配列表
【補正方法】追加
【補正の内容】
【配列表】
2015513533000001.app
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
シャーシと、第１のフレーム（１００）と、第２のフレーム（１０１）とを備える支持体上でガラス板を重力曲げするための方法であって、
前記第２のフレームが関節接合式であり、前記曲げ手順の過程で、関節接合部（１０２）によって開放位置から閉鎖位置へ移行する、可動な側部の部品（１０３、１０４）を備え、
前記ガラス板の前記曲げが、前記第２のフレームが前記開放位置に在るときに、前記第１のフレーム上で開始され、前記閉鎖位置の前記第２のフレーム上で終了し、
前記ガラス板が、前記曲げ手順において、前記第１のフレームと前記第２のフレームの相対的垂直移動、及び前記第２のフレームの前記可動な側部の部品の上昇の結果として、前記第１のフレームから前記第２のフレームへ移行し、
前記関節接合部に対する垂直線上に在る前記第１のフレームと前記ガラス板との当接エリアが、前記関節接合部が閉鎖される時、前記関節接合部の上方に在る、ことを特徴とする、
方法。
【請求項２】
前記支持体上での前記曲げが、前記第１のフレームと前記ガラス板との前記当接エリアが完全に前記第２のフレームの上方に在るときに開始される、ことを特徴とする、請求項１に記載の方法。
【請求項３】
前記支持体上での前記曲げが、前記第１のフレームと前記ガラス板との前記当接エリアが完全に前記第２のフレームと前記ガラス板との当接エリアの下方に在るときに終了し、前記ガラス板が、この時、完全に前記第２のフレームによって支持され、前記第１のフレームとの間に接点を持たない、ことを特徴とする、請求項１又は２に記載の方法。
【請求項４】
関節接合式フレームが閉鎖される時、前記ガラス板は、前記第２のフレームの前記可動部品の側部の縁（１０９、１１０）によって、及び前記第１のフレームの長手方向の縁（１０７、１０８）によって支持される、ことを特徴とする、請求項１〜３のいずれか１項に記載の方法。
【請求項５】
前記第１のフレームと前記第２のフレームの前記相対的垂直移動、及び前記第１のフレームから前記第２のフレームへの前記ガラス板の移転のために、前記第１のフレームが、前記第２のフレーム内部を通過する、ことを特徴とする、請求項１〜４のいずれか１項に記載の方法。
【請求項６】
前記第１のフレームと前記第２のフレームの前記相対的垂直移動、及び前記第１のフレームから前記第２のフレームへの前記ガラス板の移転のために、前記第１のフレームが下降する、ことを特徴とする、請求項１〜５のいずれか１項に記載の方法。
【請求項７】
前記第１のフレームと前記第２のフレームの前記相対的垂直移動、及び前記第１のフレームから前記第２のフレームへの前記ガラス板の移転のために、前記可動部品が、前記シャーシ（３７）に固定された回動軸（３５、３６）の周りで回動し、前記シャーシが垂直方向に不動である、ことを特徴とする、請求項１〜６のいずれか１項に記載の方法。
【請求項８】
前記支持体が、前記第１のフレームに強固に取り付けられたガイド（３９）を備え、前記ガイドが細長い開口（４０）を備え、前記開口の長さが垂直方向であり、前記関節接合部の軸（３８）が前記開口の中で係合し、前記開口の中で垂直に移動でき、前記第１のフレームと前記第２のフレームの前記相対的垂直移動及び前記第１のフレーム（３１）から前記第２のフレーム（３２）への前記ガラス板の移転のために、前記第１のフレーム（３１）及び前記関節接合部が、前記可動部品が前記シャーシ（３７）に固定された回動軸（３５、３６）の周りで回動するように下降し、前記関節接合部の前記軸が、前記細長い開口（４０）の底部に在り、その後、前記関節接合部が閉鎖されるとき、前記第１のフレーム（３１）が、前記関節接合部の前記軸（３８）が前記細長い穴（４０）の最上部になるまで下降し続ける、ことを特徴とする、請求項１〜７のいずれか１項に記載の方法。
【請求項９】
関節接合式フレームが、長手方向の縁の各々において中央関節接合部（１０２）又は２つの関節接合部（２０２、２０３）を備える、ことを特徴とする、請求項１〜８のいずれか１項に記載の方法。
【請求項１０】
数枚の重ねたガラス板が同時に曲げられる、ことを特徴とする、請求項１〜９のいずれか１項に記載の方法。
【請求項１１】
第１のフレーム（３１）と第２のフレーム（３２）とを備える、ガラス板を重力曲げするための支持体であって、前記第２のフレームが関節接合式であり、関節接合部によって開放位置から閉鎖位置へ移行できる可動な側部の部品（３３、３４）を備え、前記第１のフレームと前記第２のフレームが、相対的垂直移動によって相互に可動的であり、前記第１と第２のフレームの前記相対的垂直移動が、前記関節接合部の開閉に接続され、前記関節接合部に対する垂直線（４６）上に在る前記第１のフレームと前記ガラス板との当接エリアが、前記関節接合部が閉鎖される時に前記関節接合部の上方に在る、ことを特徴とする、支持体。
【請求項１２】
関節接合式フレームが閉鎖される時、前記ガラス板は、前記第２のフレームの前記可動部品の側部の縁（１０９、１１０）によって、及び前記第１のフレームの長手方向の縁（１０７、１０８）によって支持される、ことを特徴とする、請求項１１に記載の支持体。
【請求項１３】
前記第１のフレームと前記第２のフレームの前記相対的垂直移動のために、前記第１のフレームと前記第２のフレームのうちの一方が、他方のフレーム内部を通過する、ことを特徴とする、請求項１１又は１２に記載の支持体。
【請求項１４】
前記第１のフレームと前記第２のフレームの前記相対的垂直移動、及び前記第１のフレームから前記第２のフレームへの前記ガラス板の移転のために、前記可動部品が、前記シャーシ（３７）に固定された回動軸（３５、３６）の周りで回動し、前記シャーシが垂直方向に不動である、ことを特徴とする、請求項１１〜１３のいずれか１項に記載の支持体。
【請求項１５】
前記支持体が、前記第１のフレームに強固に取り付けられたガイド（３９）を備え、前記ガイドが細長い開口（４０）を備え、前記開口の長さが垂直方向であり、前記関節接合部の軸（３８）が前記開口の中で係合し、前記開口の中で垂直に移動でき、前記第１のフレームと前記第２のフレームの前記相対的垂直移動及び前記第１のフレーム（３１）から前記第２のフレーム（３２）への前記ガラス板の移転のために、前記第１のフレーム（３１）及び前記関節接合部が、前記可動部品が前記シャーシ（３７）に固定された回動軸（３５、３６）の周りで回動するように下降し、前記関節接合部の前記軸が、前記細長い開口（４０）の底部に在り、その後、前記関節接合部が閉鎖されるとき、前記第１のフレーム（３１）が、前記関節接合部の前記軸（３８）が前記細長い穴（４０）の最上部になるまで下降し続ける、ことを特徴とする、請求項１４に記載の支持体。
【請求項１６】
関節接合式フレームが、長手方向の縁の各々において中央関節接合部（１０２）又は２つの関節接合部（２０２、２０３）を備える、ことを特徴とする、請求項１１〜１５のいずれか１項に記載の支持体。
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
個人の心臓の状態を遠隔的にモニタリングするための方法であって、
・心臓の状態をモニタリングされる個人（１）とモニタリングセンター（２）との間で遠隔通信を確立し、
・モニタリングセンター（２）と救助／補助ユニット（３）との間で遠隔通信を確立し、
・モニタリングセンター（２）と病院ユニット（４）との間で遠隔通信を確立し、
・心臓の状態をモニタリングされる個人（１）と医療スタッフ（５）との間で遠隔通信を確立し、
・登録されたユーザに対して遠隔的にアクセス可能なデータ提供インタフェイス（６）を確立する、
ことを特徴とする方法。
【請求項２】
双方向に確立された遠隔通信を含み、個人（１）から又はモニタリングセンター（２）から個人（１）にデータを交互に送信するように要求がされ得ることを特徴とする請求項１の方法。
【請求項３】
ＧＳＭ遠隔通信を含むことを特徴とする請求項２の方法。
【請求項４】
個人（１）に生じる転倒がモニタリングされ、ＧＰＳを介した位置情報及びＥＣＧ検査とともにモニタリングセンター（２）に送信される遠隔モニタリングを行うことを特徴とする請求項１の方法。
【請求項５】
遠隔併発症モニタリング装置により個人（１）のＥＣＧを連続的に読み取ることを特徴とする請求項１の方法。
【請求項６】
併発症の検出によってトリガされる提供プロトコルは、モニタリングされる個人（１）のプロファイルとその位置とを含むことを特徴とする請求項１の方法。
【請求項７】
登録によってアクセス可能なインタフェイス（６）であって、緊急の状況及び日々の管理のために個人（１）のプロフィール情報へのアクセスを許可するインタフェイス（６）を含むことを特徴とする請求項１の方法。
【請求項８】
個人の心臓の状態を遠隔的にモニタリングするためのシステムであって、
・個人の心臓の状態をモニタリングする装置の作動機能を提供するメインモジュールと、
・ＥＣＧ検査を行い心臓の併発症を確認するＥＣＧモジュールと、
・ＧＳＭ／ＧＰＲＳを介した通信の実行及びブザーを介した音声出力を行うＧＳＭモジュールと、
・モニタからのＧＰＳデータを読み取り、緯度及び経度座標を取得する役割を担うＧＰＳモジュールと、
・加速度計の座標を読み取り評価するＸＹＺモジュールと、
・確率的ニューラルネットワークにより併発症を検出するためのＤＮＡモジュールと、
を備えるメインブランチを特徴とするシステム。
【請求項９】
教師なし学習モードで動作する確率的ニューラルネットワークを備えることを特徴とする請求項８のシステム。
【請求項１０】
入力レイヤが患者のＥＣＧデータであり、出力レイヤが心臓の併発症のカテゴリである確率的ニューラルネットワークを備えることを特徴とする請求項８のシステム。
【請求項１１】
カスタマイズされた個人のプロフィールを有する確率的ニューラルネットワークによって達成される解決方法を備えることを特徴とする請求項１０のシステム。
【請求項１２】
・環境を初期化して他のモジュールを実行し、
・ＳＯＳボタン／ヘルプボタンを確認し、
・バッテリレベルを確認し、
・他のすべてのモジュール間で情報を通信及び交換し、
・ＥＣＧ（心電図）の実行を要求し、
・データサーバへのファイル転送を要求し、データサーバからファイルをダウンロードすることを要求し、
・ＳＭＳ（ショートメッセージサービス）／テキストメッセージの送信を要求し、
・モニタに対して警告手段としてのバイブレーションを要求し、
・ブザーに対して警告手段としての音の出力を要求し、
・ユーザの転倒を検出した際に、緊急呼出を要求し、加えて／あるいはＳＭＳ及び位置警告を送信する、
ルーチンを行うメインモジュールを備えることを特徴とする請求項８のシステム。
【請求項１３】
ＥＣＧの実行及びバッテリレベルの読取に関するメインモジュールからの要求に応えるＥＣＧモジュールを備えることを特徴とする請求項８のシステム。
【請求項１４】
ハンズフリー電話呼出により及びＳＭＳ送受信により通信を制御するＧＳＭモジュールを備えることを特徴とする請求項８のシステム。
【請求項１５】
モニタからデータサーバへのファイル及びデータの転送を相互に行うＧＳＭモジュールを備え、要求された動作が特定された後に、エンコード形式で受信されたＳＭＳ通信が適切な措置を取るメインモジュールに転送されることを特徴とする請求項８のシステム。
【請求項１６】
座標がメインモジュールに伝送されるＧＰＳモジュールを備え、メインモジュールはこの情報をＥＣＧモジュールに転送することを特徴とする請求項８のシステム。
【請求項１７】
装置が移動した時又は落下した時を検出し、メインモジュールに適切な措置をとるように通知するＸＹＺモジュールを備えることを特徴とする請求項８のシステム。
【請求項１８】
心臓の状態を遠隔的にモニタリングするシステムであって、
・顧客補助、医療調査及び患者のモニタリング履歴のためのルーチンを備えるモニタリングモジュールと、
・併発症のタイプ及び併発症のグループを分類するためのルーチンと、実行される動作のルーチンと、補助中に実行されるステップと、一般的な症状の記録とを備える設定モジュールと、
・ユーザとの対話、画面／モード及びアクセスプロフィールのためのルーチンを備えるネットワークモジュールと、
・管理された医薬品と医療専門域とを記録するためのルーチンを備える医療記録モジュールと、
・モニタリングセンターのモニタリングルーチンを備える生産モジュールと、
・医師、医療機関、医療保険提供者、保険会社、モニタ及び顧客の人事管理及び登録のためのルーチンを備える協力提携要員登録モジュールと、
を備えるメインブランチを特徴とするシステム。
【請求項１９】
メインブランチが、個人の心臓の状態の遠隔モニタリング装置に組み込まれ、管理ブランチが、確立されたインタフェイス上で作動することを特徴とする請求項８又は１８のシステム。
【請求項２０】
併発症の遠隔モニタリングは、不整脈と虚血のうちの一方から選択される個人の心臓の状態であることを特徴とする請求項１９のシステム。
【請求項２１】
個人の心臓の状態を遠隔的にモニタリングするための装置であって、垂直双極子系で設計されたＧＳＭアンテナと、水平らせん系で設計されたＧＰＳアンテナと、全方向性エレクトレットマイクロフォンを備えたハンズフリーセットと、拡声器と、マイクロフォンを備えるＰ２ステレオ型モニタに電極ケーブルを接続するためのプラグと、１組の電極ケーブルと、タクトスイッチ型ボタンと、サイドボリュームコントロールと、ダイオード及びトランジスタを有する回路とを備えることを特徴とする装置。
【請求項２２】
心臓の併発症、転倒、統合されたハンズフリーサポート及びＧＰＳを介した地理的な位置の特定についての、ＧＳＭ／ＧＰＲＳを介した自律的なコンピュータ制御の遠隔モニタリングを備えること特徴とする請求項２１の装置。
【請求項２３】
不整脈及び虚血のモニタリングを備えることを特徴とする請求項２１の装置。
【請求項２４】
双方向の通信による遠隔的で自律的なコンピュータ制御のモニタリングを備えることを特徴とする請求項２１の装置。
【誤訳訂正書】
【提出日】平成27年4月16日(2015.4.16)
【誤訳訂正１】
【訂正対象書類名】特許請求の範囲
【訂正対象項目名】請求項１
【訂正方法】変更
【訂正の内容】
【請求項１】
ヘキサフルオロプロオピレンオキシド（ＨＦＰＯ）をオリゴマー化する方法であり、ここで、二量体、三量体、四量体、五量体、及び六量体の総計が、重合化されたＨＦＰＯの重量の２０％未満を示し、該二量体、三量体、四量体、五量体、及び六量体以外のオリゴマー（残りのオリゴマー）が、１１００〜４０００ｇ／ｍｏｌの範囲の平均分子量を有する、該方法であって、温度−３０℃〜＋５０℃で、ヘキサフルオロプロピレンオキシド（ＨＦＰＯ）と、フッ化カリウム（ＫＦ）からグリコールエーテルと共に得られる触媒系とを、３個超かつ１２個未満のＣ原子を有する、任意に極性基を含むが塩素又は臭素を含まない、過フッ素化された、飽和された、脂肪族又は芳香族炭化水素、又は、３個超かつ１２個未満のＣ原子を有する、任意に極性基を含むが塩素又は臭素を含まない部分的にフッ素化された、飽和された、脂肪族又は芳香族炭化水素から選択される溶媒の存在下で、制御されたモノマー添加（連続供給）、又はモノマー（ヘキサフルオロプロピレンオキシド（ＨＦＰＯ））の１又は２ポーション（ショット）の添加により、５バール未満の圧力において接触させる段階を含むことを特徴とする、前記方法。